(57)【特許請求の範囲】
【請求項１】
原稿の読取面からの反射光を電気信号に変換して出力する画像読取装置において、
前記原稿の読取面を臨む第１の位置と第２の位置とに選択的に取り付けられ前記原稿の読取面を照明する照明手段と、
前記照明手段からの照明光を集光するとともに、前記原稿の読取面に対する角度および前記照明手段に対する相対的位置が変更可能に設置された集光用リフレクタと
を具備し、
前記照明手段を前記第１の位置に取り付けた場合と前記第２の位置に取り付けた場合とで、前記読取面に対する前記照明手段からの光の入射角が互いに異なる
ことを特徴とする画像読取装置。
【請求項２】
前記照明手段は、
前記読取面に対してそれぞれ異なる角度で傾斜している第１の傾斜面と第２の傾斜面とにそれぞれ設けられた前記第１の位置と前記第２の位置とに取付手段により選択的に取り付けられる
ことを特徴とする請求項１記載の画像読取装置。
【請求項３】
前記取付手段は、
ピン、ねじを含む固定具を有する
ことを特徴とする請求項２記載の画像読取装置。
【請求項４】
原稿の読取面からの反射光を電気信号に変換して出力する画像読取装置において、
前記原稿の読取面を臨む第１の位置と第２の位置とに選択的に配置され前記原稿の読取面を照明する照明手段と、
前記照明手段からの照明光を集光するとともに、前記原稿の読取面に対する角度および前記照明手段に対する相対的位置が変更可能に設置された集光用リフレクタと、
前記照明手段を前記第１の位置と前記第２の位置との間で選択的に移動させる移動制御手段と
を具備し、
前記照明手段を前記第１の位置に配置した場合と前記第２の位置に配置した場合とで、前記読取面に対する前記照明手段からの光の入射角が互いに異なる
ことを特徴とする画像読取装置。
【請求項５】
原稿の読取面からの反射光を電気信号に変換して出力する画像読取装置において、
前記原稿の読取面を臨む取付位置に任意に配置され前記原稿の読取面を照明する照明手段と、
前記照明手段からの照明光を集光するとともに前記原稿の読取面に対する角度および前記照明手段に対する相対位置が変更可能に設置された集光リフレクタと
を具備し、
前記照明手段は、
前記読取面を第１の角度だけ傾斜させた仮想面での反射による該照明手段の鏡像が光軸に接する位置に配置され、
前記集光リフレクタは、
前記読取面を第２の角度だけ傾斜させた仮想面での反射による前記照明手段の鏡像が光軸に接する位置に配置され、
前記第１の角度および前記第２の角度が、それぞれ８［°］以上であり、かつ、前記第１の角度および前記第２の角度の差の絶対値が２［°］以下である
ことを特徴とする画像読取装置。
【発明の詳細な説明】
【０００１】
【発明の属する技術分野】
この発明は、画像読取装置に関し、特に表面に光沢を有し、かつ波打ちしている状態の原稿の画像を鮮明に読み取ることのできる画像読取装置に関する。
【０００２】
【従来の技術】
まず、図１１及び図１２を参照して、従来の画像読取装置について説明する。
【０００３】
図１１は従来の画像読取装置における画像の読み取り方法を示す第１の図であり、図１２は従来の画像読取装置における画像の読み取り方法を示す第２の図である。
【０００４】
一般に、画像読取装置における画像の読み取り方法として、図１１に示すように画像読取装置２００の原稿載置部２０１に原稿１１を載置して、破線の矢印で示すように光源２０３から原稿１１を照射すると共に、光源２０３からの光を集光リフレクタで反射した光で原稿１１を照射し、この原稿面で反射する光をＣＣＤ（Ｃｈａｒｇｅ−Ｃｏｕｐｌｅｄ  Ｄｅｖｉｃｅ）２１１が受光して、受光量を電圧信号に変換して出力したものを処理することで画像を読み取る方法が知られている。
【０００５】
特開平４−２９８１５６号公報に記載されている「画像入力装置」と同様に、画像読取装置２００においては、画像を高精度に読み取ることができるように、光源２０３の光量を大きくして、ＣＣＤ２１１から電圧信号が大きく出力することができるように構成される。しかしかながら、ＣＣＤ２１１に用いているランプの種類によっては、消費電力量の増大や装置内部の温度上昇などの理由により、光量を大きくすることに制限があったり、ランプの仕様上の点から光量を容易に大きくすることが困難であった。
【０００６】
この為、原稿面の照度が大きくなるように、光源２０３を原稿面に近づけ、これに合わせて集光リフレクタ２０７を配置することで、ＣＣＤ２０１から電圧信号が大きく出力されるように構成していた。
【０００７】
【発明が解決しようとする課題】
上述したように、光源２０３や集光リフレクタ２０７を原稿面の照度が大きくなるように配置した際に、図１１に示したように平坦な状態の原稿１１を読み取らせる際には、原稿面からの正反射光がＣＣＤ２１１に直接入射しない。
【０００８】
ところが、上述したような配置においては、必然的に光源２０３から原稿面に照射される光の入射角が小さくなる為、図１２に示すように、本を見開きにした状態の閉じ目部分や折り目があるような波打ちしている状態で、かつ表面に光沢を有する光沢波打ち原稿１２を読み取らせる際に、破線の矢印で示すように光源２０３から原稿１１の表面に光を照射すると、原稿面からの正反射光がＣＣＤ２１１に直接入射してしまう為、読み取られた画像の一部分が白抜けしたり、かすれたりするという問題があった。又、図示しないが、光源２０３からの光を集光リフレクタで反射した光で原稿面を照射しても、原稿面からの正反射光がＣＣＤ２１１に直接入射してしまう為、同様の問題が生じた。
【０００９】
又、これを原稿面から光源２０３を遠ざけることにより解決しようとすると、ＣＣＤ２１１から出力される電圧信号の出力が低下して、信号のＳ／Ｎ比が小さくなる為、画質の粒状性が低下するという問題があった。
【００１０】
そこで、この発明は、表面に光沢を有し、かつ波打ちしている状態の原稿の画像を鮮明に読み取ることのできる画像読取装置を提供することを目的とする。
【００１１】
【課題を解決するための手段】
上記目的を達成するため、請求項１の発明は、原稿の読取面からの反射光を電気信号に変換して出力する画像読取装置において、前記原稿の読取面を臨む第１の位置と第２の位置とに選択的に取り付けられ前記原稿の読取面を照明する照明手段と、前記照明手段からの照明光を集光するとともに、前記原稿の読取面に対する角度および前記照明手段に対する相対的位置が変更可能に設置された集光用リフレクタとを具備し、前記照明手段を前記第１の位置に取り付けた場合と前記第２の位置に取り付けた場合とで、前記読取面に対する前記照明手段からの光の入射角が互いに異なることを特徴とする。
【００１２】
又、請求項２の発明は、請求項１の発明において、前記照明手段は、前記読取面に対してそれぞれ異なる角度で傾斜している第１の傾斜面と第２の傾斜面とにそれぞれ設けられた前記第１の位置と前記第２の位置とに取付手段により選択的に取り付けられることを特徴とする。
【００１３】
又、請求項３の発明は、請求項２の発明において、前記取付手段は、ピン、ねじを含む固定具を有することを特徴とする。
【００１４】
又、請求項４の発明は、原稿の読取面からの反射光を電気信号に変換して出力する画像読取装置において、前記原稿の読取面を臨む第１の位置と第２の位置とに選択的に配置され前記原稿の読取面を照明する照明手段と、前記照明手段からの照明光を集光するとともに、前記原稿の読取面に対する角度および前記照明手段に対する相対的位置が変更可能に設置された集光用リフレクタと、前記照明手段を前記第１の位置と前記第２の位置との間で選択的に移動させる移動制御手段とを具備し、前記照明手段を前記第１の位置に配置した場合と前記第２の位置に配置した場合とで、前記読取面に対する前記照明手段からの光の入射角が互いに異なることを特徴とする。
【００１５】
又、請求項５の発明は、原稿の読取面からの反射光を電気信号に変換して出力する画像読取装置において、前記原稿の読取面を臨む取付位置に任意に配置され前記原稿の読取面を照明する照明手段と、前記照明手段からの照明光を集光するとともに前記原稿の読取面に対する角度および前記照明手段に対する相対位置が変更可能に設置された集光リフレクタとを具備し、前記照明手段は、前記読取面を第１の角度だけ傾斜させた仮想面での反射による該照明手段の鏡像が光軸に接する位置に配置され、前記集光リフレクタは、前記読取面を第２の角度だけ傾斜させた仮想面での反射による前記照明手段の鏡像が光軸に接する位置に配置され、前記第１の角度および前記第２の角度が、それぞれ８［°］以上であり、かつ、前記第１の角度および前記第２の角度の差の絶対値が２［°］以下であることを特徴とする。
【００１７】
【発明の実施の形態】
この発明に関する画像読取装置の一実施例を、添付図面を参照して詳細に説明する。
【００１８】
まず、図１乃至図４を参照して、本発明を適用した画像読取装置の構成について説明する。
【００１９】
図１は本発明の画像読取装置の第１の構成を示す斜視図であり、図２は本発明の画像読取装置の第１の構成を示す断面図であり、図３は本発明の画像読取装置の第２の構成を示す断面図であり、図４は本発明の画像読取装置の第１及び第２の構成を重ねて示す断面図である。
【００２０】
図１乃至図４において、画像読取装置１００は原稿載置部１０１、原稿走査部１０２、光源１０３、照射開口部１０４、光源載置台１０５、光源位置固定ねじ１０６、集光リフレクタ１０７、集光リフレクタ配置部１０８、集光リフレクタ位置固定ねじ１０９、反射器１１０、ＣＣＤ１１１、光源位置固定ねじ孔１１２−１及び１１２−２、集光リフレクタ位置固定ねじ孔１１３−１乃び１１３−２、結像レンズ１１４、光源配置部１１５を具備して構成される。
【００２１】
原稿載置部１０１はガラスなどが用いられており、画像が読み取られる原稿が載置される。
【００２２】
原稿走査部１０２は原稿面を一定方向に移動しながら、原稿載置部１０１に載置されている原稿面を走査する。又、原稿走査部１０２を移動しながら原稿を走査する他に、原稿走査部１０２を固定して、原稿を搬送させながら走査するように構成しても良い。
【００２３】
光源１０３は、蛍光ランプやハロゲンランプ、ＬＥＤ（Ｌｉｇｈｔ−Ｅｍｉｔｔｉｎｇ  Ｄｉｏｄｅ；発光ダイオード）などを複数配列したアレイ形状のものであり、原稿面に対して光を照射し、照射開口部１０４は光源１０３が蛍光ランプである場合、光源１０３の光を原稿面に対して照射する開口部分である。又、光源載置台１０５は光源１０３を載置する台である。
【００２４】
光源配置部１１５は光源１０３が配置され、光源位置固定ねじ１０６は光源配置部１１５に配置される光源１０３を固定する。又、光源位置固定ねじ孔１１２−１及び１１２−２は、固定ねじ１０６が入るねじ孔である。
【００２５】
なお、光源１０３は光源配置部１１５に光源位置固定ねじ孔１１２−１又は１１２−２の位置で固定されるかにより、原稿面に対する角度がそれぞれ異なる為、光源１０３から照射された光が原稿面に入射する角度がそれぞれ異なる。
【００２６】
集光リフレクタ１０７は、光源１０３の光を原稿面へ反射させて、原稿面に光を集光させる。
【００２７】
集光リフレクタ配置部１０８は集光リフレクタ１０７が配置され、集光リフレクタ位置固定ねじ１０９は集光リフレクタ配置部１０８に配置される集光リフレクタ１０７を固定する。又、集光リフレクタ位置固定ねじ孔１１３−１乃び１１３−２は、固定ねじ１０９が入るねじ孔である。
【００２８】
なお、集光リフレクタ１０７は集光リフレクタ配置部１０８に集光リフレクタ位置固定ねじ孔１１３−１又は１１３−２の位置で固定されるかにより、原稿面に対する角度がそれぞれ異なる為、集光リフレクタ１０７が原稿面で反射する光を集光する角度がそれぞれ異なる。
【００２９】
反射器１１０は、原稿面で反射した光が後述する結像レンズ１１４に入射するように反射させ、又結像レンズ１１４は反射器１１０で反射した光を収束し、ＣＣＤ１１１に入射させるように発散する。更に、ＣＣＤ１１１は結像レンズ１１４で発散された光を受光して、受光量を電圧信号に変換し、出力する。
【００３０】
なお、図４に画像読取装置の第１の構成と第２の構成とを重ねて示すように、本発明の画像読取装置１００においては、第１の構成と第２の構成とで光源１０３及び集光リフレクタ１０７が配置される位置がそれぞれ異なり、又これらが配置される位置により光源１０３及び集光リフレクタ１０７が配置される角度についてもそれぞれ異なる。
【００３１】
次に、図５を参照して、本発明の画像読取装置の原稿の読み取り方法を説明する。
【００３２】
図５は、本発明の画像読取装置の第１の構成における画像の読み取り方法を示す図である。
【００３３】
本発明の画像読取装置１００の第１の構成においては、図５に示すように光源１０３が光源位置固定ねじ孔１１２−１の位置で光源位置固定ねじ１０９により光源配置部１１５に、又集光リフレクタ１０７が集光リフレクタ位置固定ねじ孔１１３−１の位置で集光リフレクタ位置固定ねじ１０９により集光リフレクタ配置部１０８にそれぞれ配置され、図１２に示した従来の画像読取装置２００のように光沢波打ち原稿１２の画像を読み取る際に、光源２０３から原稿１１の表面に光を照射した際に、原稿面からの正反射光がＣＣＤ２１１に直接入射しないように、光源１０３と集光リフレクタ１０７がそれぞれ配置される。
【００３４】
従って、破線の矢印で示すように光源１０３から原稿１２の読み取り面に光を照射した際に、原稿面からの正反射光が直接ＣＣＤ１１１に直接入射しない為、従来の画像読取装置２００にように、光沢波打ち原稿１２を読み取らせた際に、読み取った画像の一部分が白抜けしたり、かすれたりするのを抑止する。
【００３５】
又、第２の構成においては、図３に示すように光源１０３が光源位置固定ねじ孔１１２−２の位置で光源位置固定ねじ１０９により光源配置部１１５に、又集光リフレクタ１０７が集光リフレクタ位置固定ねじ孔１１３−２の位置で集光リフレクタ位置固定ねじ１０９により固定されることで集光リフレクタ配置部１０８にそれぞれ配置される。
【００３６】
上述した第１の構成と第２の構成において、画像ＣＣＤ１１１から出力される電圧信号の出力値を比較した際に、第２の構成においては、第１の構成よりもＣＣＤ１１１から電圧信号が大きく出力されるように光源１０３と集光リフレクタ１０７が配置されている為、読み取られた画像の信号のＳ／Ｎ比が大きく、画像の粒状性が良好である。
【００３７】
又、上述した第１の構成においては、第２の構成よりも波打ち原稿の読み取り面からの正反射光がＣＣＤ１１１に直接入射しないような位置に光源１０３と集光リフレクタ１０７が配置される為、読み取られた画像は白抜けやかすれが少ない鮮明度の高い画像である。
【００３８】
従って、高画質で画像を読み取りたい場合には、光源１０３と集光リフレクタ１０７を第１の構成のように配置し、又画像に白抜けやかすれが生じるのを最小限に抑えて読み取りたい場合には、第２の構成のように配置しておき、画像を読み取らせる。
【００３９】
又、光源１０３の配置位置を変更する際に、上述したように光源１０３及び光源載置台１０５を同時に移動するように構成するのみならず、予め光源配置部１１５に複数の光源載置台１０５を設けておき、光源１０３のみ移動して、いずれかの光源載置台１０５に光源１０３を載置することで、配置位置を変更できるように構成しても良い。
【００４０】
なお、これらの構成を調整する際には、サービスマンがユーザの使用用途等に応じて、光源１０３、集光リフレクタ１０７の位置及び角度を第１の構成若しくは第２の構成のいずれかに調整しておく。又、光源１０３、集光リフレクタ１０７を配置させる位置及び角度をより細かく微調整することができるように構成して、第１の構成と第２の構成のいずれかに調整するのみならず、第１の構成と第２の構成との中間の効果が得られるように調整しても良い。
【００４１】
次に、図６及び図７を参照して、光源及び集光リフレクタの配置の微調整例を説明する。
【００４２】
図６は光源の配置を微調整する様子を示す図であり、図７は集光リフレクタの配置を微調整する様子を示す図である。
【００４３】
従来の技術において上述したように、光沢波打ち原稿１２を読み取らせる際に、光源２０３から原稿１２の表面に光を照射すると、原稿面からの正反射光がＣＣＤ２１１に直接入射してしまう為、読み取られた画像の一部分に白抜けやかすれが生じた。これを原稿面から光源２０３を遠ざけることにより解決しようとすると、ＣＣＤ２１１から出力される電圧信号の出力が低下してしまう為、読み取られた画像の画質の粒状性が低下した。
又、原稿面からＣＣＤ２１１に直接入射する正反射光は、上述した光源２０３から原稿の表面に光が照射され、その原稿面からＣＣＤ２１１に直接入射する正反射光のみならず、光源２０３から照射された光が集光リフレクタ２０７により原稿面に集光され、原稿面からＣＣＤ２１１に直接入射する正反射光があり、この正反射光がＣＣＤ２１１に直接入射しても、同様に読み取られた画像に白抜けやかすれが生じた。
【００４４】
図６に示すように、原稿載置部１０１と平行に載置されている原稿３１１の表面での反射による光源１０３の鏡像３２１がある。又、この原稿３１１と原稿３１１を擬似的に傾斜させた仮想面３１２との角度をθ１とし、これは原稿載置部１０１に対してθ１だけ波打ちしている原稿が原稿載置部１０１に載置されている状態と同じであり、鏡像３２２はその仮想面３１２の表面での反射による光源１０３の鏡像である。
又、図７に示すように、集光リフレクタ１０７で反射する光源１０３の鏡像３２３があり、更に原稿載置部１０１に載置されている原稿３１１の表面での反射によるその鏡像３２３の鏡像３２４がある。又、この原稿３１１と原稿３１１を擬似的に傾斜させた仮想面３１３との角度をθ２とし、これは原稿載置部１０１に対してθ２だけ波打ちしている原稿が原稿載置部１０１に載置されている状態と同じであり、鏡像３２５は集光リフレクタ１０７で反射する光源１０３の鏡像３２３が、その仮想面３１３の表面で反射した鏡像である。
【００４５】
そして、この原稿３１１を擬似的に傾斜させていき、θ１が８［°］以上で、上述した鏡像３２２が原稿３１１の表面、反射器１１０、結像レンズ１１４及びＣＣＤ１１１での光学系における光軸３３１に接するように、光源１０３を配置した際に、光源１０３から光沢波打ち原稿１２の表面に光を照射しても、原稿面からの正反射光がＣＣＤ１１１に直接入射しなくなり、読み取り画像の一部分に白抜けやかすれが生じるのを抑止できる。又、白抜けやかすれが生じるのを抑止する為に、原稿面から光源１０３を遠ざける必要がない為、ＣＣＤ１１１から電圧信号が大きく出力され、読み取られた画像の信号のＳ／Ｎ比が大きく、粒状性の高い画像を読み取ることができる。
同様に、この原稿３１１を擬似的に傾斜させていき、θ２が８［°］以上で、鏡像３２５が光軸３３１に接するように、集光リフレクタ１０７を配置した際に、光源１０３から照射された光が集光リフレクタ１０７により原稿面に集光され、原稿面からＣＣＤ１１１に直接入射する正反射光がＣＣＤ１１１に直接入射しなくなり、読み取り画像の一部分に白抜けやかすれが生じるのを抑止できる。
【００４６】
なお、上述したようにθ１及びθ２はそれぞれ８［°］以上である上に、このθ１とθ２との差の絶対値が２［°］以下で、光軸３３１に鏡像３２２及び３２５がそれぞれ接するように配置された際に、上述したような効果が得られる。
【００４７】
従って、光源１０３と集光リフレクタ１０７の微調整による配置は、第１の構成における調整による高画質で画像を読み取ることのできる効果と、第２の構成における調整による画像に白抜けやかすれが生じるのを最小限に抑えて読み取ることのできる効果とを同時に得られるような構成である。
【００４８】
なお、鏡像３２２及び３２５が光軸３３１に接する部分は、鏡像部分のうちの照射開口部１０４に相当する部分である。又、θ１及びθ２が大きくなるほど、光沢波打ち原稿１２を読み取る際に生じる画像の白抜けやかすれを抑えることのできる効果が高まる。
【００４９】
ところで、上述したような第１の構成、第２の構成及び第１の構成と第２の構成との中間の構成における光源１０３、集光リフレクタ１０７の配置調整は、上述したようにサービスマンがユーザの使用用途に応じて調整する他に、ユーザが画像読取装置に画像の読み取りを指示した際に、ユーザの選択に基づいて、画像読取装置が光源１０３と集光リフレクタ１０７の位置及び角度を自動調整させることができる。
【００５０】
次に、図８乃び図９を参照して、画像読取装置における光源及び集光リフレクタの配置の自動調整例を説明する。
【００５１】
図８は画像読取装置が光源及び集光リフレクタの配置を自動調整する様子を示す第１の図であり、図９は画像読取装置が光源及び集光リフレクタの配置を自動調整する様子を示す第２の図である。
【００５２】
光源１０３を光源位置固定ねじ１０６により、光源位置固定ねじ孔１１２−１又は１１２−２のいずれかの位置で光源配置部１１５に固定せずに、光源１０３の位置を自動調整する光源位置可動部１２１に配置して、光源位置可動部１２１は光源１０３を光源位置固定ねじ孔１１２−１又は１１２−２で固定した時と同じような位置へ自動調整する。
【００５３】
又、集光リフレクタ１０７についても同様に、集光リフレクタ１０７を集光リフレクタ位置固定ねじ１０９により、集光リフレクタ位置固定ねじ孔１１３−１又は１１３−２のいずれかの位置で集光リフレクタ配置部１０８に固定せずに、集光リフレクタ１０７の位置を自動調整する集光リフレクタ位置可動部１２２に配置して、集光リフレクタ位置可動部１２２は集光リフレクタ１０７を集光リフレクタ位置固定ねじ孔１１３−１又は１１３−２で固定した時と同じような位置へ自動調整する。
【００５４】
一例として、ユーザが画像読取装置に画像の読み取り開始を指示する際に、高画質で画像を読み取るのか、画像に白抜けやかすれが生じるのを最小限に抑えて読み取るのかを選択して、これに基づいて、画像読取装置は高画質で画像を読み取る場合には、光源位置可動部１２１が光源１０３、又集光リフレクタ位置可動部１２２が集光リフレクタ１０７を第１の構成のようにそれぞれ自動調整し、又画像に白抜けやかすれが生じるのを最小限に抑えて読み取る場合には、光源１０３及び集光リフレクタ１０７の配置を第２の構成のようにそれぞれ自動調整する。
【００５５】
又、別例として、画像の読み取りが開始される際に、画像読取装置が原稿の状態を検出して、原稿の表面に光沢を有し、かつ波打ちしている状態であるならば、画像に白抜けやかすれが生じるのを最小限に抑えて読み取ることのできる第２の構成にように、又原稿が平坦な状態であるならば、高画質で画像を読み取ることのできる第１の構成にように、光源１０３及び集光リフレクタ１０７の配置をそれぞれ自動調整する。
【００５６】
次に、図１０を参照して、画像読取装置が光源及び集光リフレクタの配置を自動調整する流れを説明する。
【００５７】
図１０は、画像読取装置が光源及び集光リフレクタの配置を自動調整する流れを示すフロ−チャートである。
【００５８】
ユーザから画像読取装置１００に対して、画像の読み取りが指示された際に（ステップ３０１のＹＥＳ）、上述した光源１０３及び集光リフレクタ１０７の配置を原稿の状態に基づいて自動調整するように設定されている際は（ステップ３０２のＹＥＳ）、まず、画像読取装置が原稿の表面に光沢を有し、かつ原稿が波打ちしている状態であるかを検出する（ステップ３０３）。
【００５９】
検出結果において、表面に光沢を有し、かつ波打ちしている状態の原稿であることが検出されなければ（ステップ３０４のＹＥＳ）、画像を高画質で読み取れることのできる第１の構成のように光源可動配置部１２１が光源１０３の配置を、又集光リフレクタ位置可動部１２２が集光リフレクタ１０７の配置をそれぞれ自動調整する（ステップ３０５）。
【００６０】
又、表面に光沢を有し、かつ波打ちしている状態の原稿であることが検出されたならぱ（ステップ３０４のＮＯ）、画像に白抜けやかすれが生じるのを最小限に抑えて読み取ることのできる第２の構成のように光源可動配置部１２１が光源１０３の配置を、又集光リフレクタ位置可動部１２２が集光リフレクタ１０７の配置をそれぞれ自動調整する（ステップ３０６）。
【００６１】
又、ステップ３０２において、原稿の状態に基づく自動調整でなくユーザの選択により調整するように設定されており（ステップ３０２のＮＯ）、かつ高画質で画像を読み取ることができるように設定されているならば（ステップ３０７のＹＥＳ）、画像を高画質で読み取ることのできる第１の構成のように光源可動配置部１２１が光源１０３の配置を、又集光リフレクタ位置可動部１２２が集光リフレクタ１０７の配置をそれぞれ自動調整する（ステップ３０８）。
【００６２】
又、白抜けやかすれが生じるのを最小限に抑えて画像を読み取ることができるように設定されているならば（ステップ３０７のＮＯ）、画像に白抜けやかすれが生じるのを最小限に抑えて読み取ることのできる第２の構成のように光源可動配置部１２１が光源１０３の位置を、又集光リフレクタ位置可動部１２２が集光リフレクタ１０７の配置をそれぞれ自動調整する（ステップ３０９）。
【００６３】
そして、光源１０３及び集光リフレクタ１０７の配置の自動調整が完了すると、原稿の読み取りを開始する（ステップ３１０）。
【００６４】
【発明の効果】
上述したように、本発明においては、光源から原稿の表面に光を照射した際に、原稿面からの正反射光がＣＣＤに直接入射しないように、光源と集光リフレクタをそれぞれ配置したことで、表面に光沢を有し、かつ波打ちしている状態の原稿の画像を読み取る際に、画像の一部分が白抜けしたり、かすれが生じるのを抑止して、画像を鮮明に読み取ることができる。
【００６５】
更に、ＣＣＤから電圧信号が大きく出力されるように、光源と集光リフレクタの位置をそれぞれ調整することができるので、粒状性の高い画質を読み取ることができる。
【００６６】
又、光源と集光リフレクタの位置を微調整することができる為、光源から原稿の表面に光を照射した際に、原稿面からの正反射光がＣＣＤに直接入射しないような配置とＣＣＤから電圧信号が大きく出力されるような配置との中間の位置に、光源と集光リフレクタをそれぞれ配置して、画像の一部分が白抜けしたり、かすれが生じるのを抑止し、かつ粒状性の高い画質を読み取ることができる。
【００６７】
又、上述したような調整をサービスマンが行うのみならず、ユーザ自身が読み取り方法を選択したり、画像読取装置が原稿の状態を自動検出して、光源及び集光リフレクタを最適な位置及び角度に配置させることができる為、ユーザの使用用途に最適な画像の読み取り方法を提供することができる。
【図面の簡単な説明】
【図１】本発明の画像読取装置の第１の構成を示す斜視図。
【図２】本発明の画像読取装置の第１の構成を示す断面図。
【図３】本発明の画像読取装置の第２の構成を示す断面図。
【図４】本発明の画像読取装置の第１及び第２の構成を重ねて示す断面図。
【図５】本発明の画像読取装置の第１の構成における画像の読み取り方法を示す図。
【図６】画像読取装置が光源及び集光リフレクタの配置を自動調整する様子を示す第１の図。
【図７】光源の配置を微調整する様子を示す図。
【図８】集光リフレクタの配置を微調整する様子を示す図。
【図９】画像読取装置が光源及び集光リフレクタの配置を自動調整する様子を示す第２の図。
【図１０】画像読取装置が光源及び集光リフレクタの配置を自動調整する流れを示すフロ−チャート。
【図１１】従来の画像読取装置における画像の読み取り方法を示す第１の図。
【図１２】従来の画像読取装置における画像の読み取り方法を示す第２の図。
【符号の説明】
１１  原稿
１２  光沢波打ち原稿
１００  画像読取装置
１０１  原稿載置部
１０２  原稿走査部
１０３  光源
１０４  照射開口部
１０５  光源載置台
１０６  光源位置固定ねじ
１０７  集光リフレクタ
１０８  集光リフレクタ配置部
１０９  集光リフレクタ位置固定ねじ
１１０  反射器
１１１  ＣＣＤ
１１２−１及び１１２−２  光源位置固定ねじ孔
１１３−１乃び１１３−２  集光リフレクタ位置固定ねじ孔
１１４  結像レンズ
１１５  光源配置部
１２１  光源位置可動部
１２２  集光リフレクタ位置可動部
２００  画像読取装置
２０１  原稿載置部
２０３  光源
２０７  集光リフレクタ
２１１  ＣＣＤ
３１１  原稿
３１２乃び３１３  仮想面
３２１乃至３２５  鏡像
３３１  光軸
【図１】
0003680698.tif 000002
【図２】
0003680698.tif 000003
【図３】
0003680698.tif 000004
【図４】
0003680698.tif 000005
【図５】
0003680698.tif 000006
【図６】
0003680698.tif 000007
【図７】
0003680698.tif 000008
【図８】
0003680698.tif 000009
【図９】
0003680698.tif 000010
【図１０】
0003680698.tif 000011
【図１１】
0003680698.tif 000012
【図１２】
0003680698.tif 000013